(57)【要約】【課題】表示画像の明るさの低下を抑制しつつ、コントラストを向上させることができる画像表示装置を提供する。【解決手段】第２のレンズアレイ４は、光源１から発せられる照度分布を持った光を照度分布が均一化される光に変換する。絞り部３１〜３８は、第２のレンズアレイ４の対角線方向の４隅部を通過する光の三原色光の内、いずれか１つの単色光を阻止し、単色光を阻止することにより単色光のＦ値を他の色光のＦ値よりも大きくする。【選択図】図２
2015001633.tif 000002
【特許請求の範囲】
【請求項１】
光源と、
前記光源から発せられる照度分布を持った光を照度分布が均一化される光に変換する照度均一化部と、
前記照度均一化部の対角線方向の４隅部を通過する光の三原色光の内、いずれか１つの単色光を阻止し、前記単色光を阻止することにより前記単色光のＦ値を他の色光のＦ値よりも大きくする絞り部と、
前記絞り部を通過した光を結像させて画像を表示する投射光学系と
を有することを特徴とする画像表示装置。
【請求項２】
前記絞り部は、前記照度均一化部の対角線方向の４隅部を通過する光の三原色光の内、いずれか１つの単色光を阻止する阻止板を備え、
前記阻止板は、前記照度均一化部の対角線方向の４隅部に応じた位置に、照度均一化部の対角線方向に可動可能に配置され、阻止する単色光のＦ値を可変制御する
ことを特徴とする請求項１に記載の画像表示装置。
【請求項３】
前記絞り部は、前記照度均一化部の対角線方向の４隅部を通過する光の三原色光の内、いずれか１つの単色光を阻止する阻止板を備え、
前記阻止板は、前記照度均一化部の対向する２辺に応じた位置に、前記照度均一化部の前記対向する２辺の方向に可動可能に配置され、阻止する単色光のＦ値を可変制御する
ことを特徴とする請求項１に記載の画像表示装置。
【請求項４】
前記絞り部は、阻止板を備え、
前記阻止板は、前記照度均一化部の対角線方向の４隅部を通過する光の三原色光の内、いずれか１つの単色光を阻止する第１の阻止領域と、
前記照度均一化部の対角線方向の４隅部を通過する光の三原色光の全色光を阻止する第２の阻止領域と、を備えている
ことを特徴とする請求項１に記載の画像表示装置。
【請求項５】
前記絞り部は、前記照度均一化部の対角線方向の４隅部を通過する光の三原色光の内、いずれか１つの単色光を阻止する第１の阻止板と、
前記照度均一化部の対角線方向の４隅部を通過する光の三原色光の全色光を阻止する第２の阻止板と、を備えている
ことを特徴とする請求項１に記載の画像表示装置。
【請求項６】
前記単色光は、前記照度均一化部の対角線方向の４隅部を通過する光の三原色光の内青色光である
ことを特徴とする請求項１〜５のいずれか１項に記載の画像表示装置。
【請求項７】
表示画像の画像データを解析する画像解析部と、
前記画像解析部の解析結果に基づいて、前記絞り部により、前記照度均一化部の対角線方向の４隅部を通過する光の三原色光の内、いずれか１つの単色光を阻止し、前記単色光を阻止することにより前記単色光のＦ値を他の色光のＦ値よりも大きくした際に、前記単色光のＦ値に基づいて表示画像のゲインを補正し、表示画像の色バランスを調整するゲイン補正部と
を有することを特徴とする請求項１〜６のいずれか１項に記載の画像表示装置。
【請求項８】
表示画像の画像データを解析する画像解析部と、
前記画像解析部の解析結果に基づいて、前記絞り部により、前記照度均一化部の対角線方向の４隅部を通過する光の三原色光の内、いずれか１つの単色光を阻止し、前記単色光を阻止することにより前記単色光のＦ値を他の色光のＦ値よりも大きくした際に、前記単色光のＦ値に基づいて表示画像のガンマ特性を補正するガンマ補正部と
を有することを特徴とする請求項１〜６のいずれか１項に記載の画像表示装置。
【発明の詳細な説明】
【技術分野】
【０００１】
本発明は、光源から発せられた照明光の光量を調整する絞りを備えた画像表示装置に関する。
【背景技術】
【０００２】
従来、この種の技術としては、例えば以下に示す特許文献１に記載されたものが知られている。この特許文献１には、複数枚の絞り板を一つのモータによってそれぞれ異なる方向に動作させることで照明光路用開口の大きさを変化させ、光源から発せられた照明光の光量を調整する絞り装置が記載されている。
【先行技術文献】
【特許文献】
【０００３】
【特許文献１】特開２００４−３０２１０８号公報
【発明の概要】
【発明が解決しようとする課題】
【０００４】
上記従来の絞り装置は、カラー表示の画像表示装置であっても、光源から発せられた照明光の三原色（Ｒ（赤色），Ｇ（緑色），Ｂ（青色））の光を等しく絞り、三原色のそれぞれの色光の光量を同等に調整していた。このため、照明光の三原色の色光の光量を個別に制御して調整することができなかった。これにより、照明光の三原色の内、コントラストを悪化させる色光の光量だけを個別に調整することができず、表示画像のコントラストが悪化するといった不具合を招いていた。
【０００５】
本発明の目的は、表示画像の明るさの低下を抑制しつつ、コントラストを向上させることができる画像表示装置を提供することである。
【課題を解決するための手段】
【０００６】
本発明は、光源（１）と、前記光源から発せられる照度分布を持った光を照度分布が均一化される光に変換する照度均一化部（４）と、前記照度均一化部の対角線方向の４隅部を通過する光の三原色光の内、いずれか１つの単色光を阻止し、前記単色光を阻止することにより前記単色光のＦ値を他の色光のＦ値よりも大きくする絞り部（３１〜３８）と、前記絞り部（３１〜３８）を通過した光を結像させて画像を表示する投射光学系（２２）とを有することを特徴とする画像表示装置を提供する。
【発明の効果】
【０００７】
本発明の画像表示装置によれば、照度均一化部の対角線方向の４隅部を通過する光の三原色光の内、いずれか１つの単色光を阻止し、前記単色光を阻止することにより前記単色光のＦ値を他の色光のＦ値よりも大きくしたので、表示画像の明るさの低下を抑制しつつ、コントラストを向上させることができる画像表示装置を提供することができる。
【図面の簡単な説明】
【０００８】
【図１】本発明の第１実施形態に係る画像表示装置の構成を示す図である。
【図２】絞り部３１の構成、ならびに絞り部３１と第２のレンズアレイ４との位置関係を示す正面図である。
【図３】ダイクロイックミラーにおける入射光の波長と透過率との関係を示す図である。
【図４】絞り部３２の構成、ならびに絞り部３２と第２のレンズアレイ４との位置関係を示す正面図である。
【図５】絞り部３３の構成、ならびに絞り部３３と第２のレンズアレイ４との位置関係を示す正面図である。
【図６】絞り部３４の構成、ならびに絞り部３４と第２のレンズアレイ４との位置関係を示す正面図である。
【図７】絞り部３５の構成、ならびに絞り部３５と第２のレンズアレイ４との位置関係を示す正面図である。
【図８】絞り部３６の構成、ならびに絞り部３６と第２のレンズアレイ４との位置関係を示す正面図である。
【図９】絞り部３７の構成、ならびに絞り部３７と第２のレンズアレイ４との位置関係を示す正面図である。
【図１０】絞り部３８の構成、ならびに絞り部３８と第２のレンズアレイ４との位置関係を示す正面図である。
【図１１】図１に示す画像処理装置の画像処理系ならびに絞り駆動系の構成を示す図である。
【図１２】液晶デバイスの一ガンマ特性曲線（Ｖ−Ｔ特性曲線）を示す図である。
【図１３】絞り制御信号と絞り駆動量との一関係を示す図である。
【図１４】絞り制御信号と絞り駆動量との他の関係を示す図である。
【図１５】絞り制御信号と絞り駆動量との他の関係を示す図である。
【図１６】絞り制御信号と絞り駆動量との他の関係を示す図である。
【発明を実施するための形態】
【０００９】
以下、図面を用いて本発明を実施するための実施形態を説明する。
【００１０】
（第１実施形態）
図１を参照して、本発明の第１実施形態に係る画像表示装置の構成を説明する。図１において、この画像表示装置は、図１に示すように、光源１と、この光源１から出射された光を光軸Ｌ０方向に反射するリフレクタ２を有している。光源１は、高圧水銀ランプ、メタルハライドランプ等の白色光を出射するものを用いる。リフレクタ２は、光軸Ｌ０を軸とした回転放物面の反射面を有し、光源１から出射された光を反射面で反射して光軸Ｌ０に平行な照明光として出射する。
【００１１】
この照明光は、照明光学系を構成する第１のレンズアレイ（フライアイレンズ）３に入射される。第１のレンズアレイ３を経た照明光は、第２のレンズアレイ（フライアイレンズ）４に入射される。第１のレンズアレイ３と第２のレンズアレイ４とは、照度均一化部を構成する。
【００１２】
第１及び第２のレンズアレイ３，４は、リフレクタ２が光束を出射する開口を空間的に分割するように、後述する空間光変調素子である各液晶ライトバルブ１２，１８，２１に相似した形状の複数のレンズセルを２次元配列して構成されている。この第１のレンズアレイ３は、そのレンズセルにそれぞれ対応した第２のレンズアレイ４のレンズセルに照明光を集光させ、第２のレンズアレイ４上に第１のレンズアレイ３のレンズセルと同数の２次光源像を形成する。
【００１３】
第２のレンズアレイ４は、各レンズセルごとに、対応する第１のレンズアレイ３のレンズセル開口の像を液晶ライトバルブ１２，１８，２１の入射面に一致させ、第１のレンズアレイ３の各レンズセルが液晶ライトバルブ１２，１８，２１の入射面上で重なり合うようにする。
【００１４】
これら第１のレンズアレイ３と第２のレンズアレイ４との間には、後述する絞り部３１〜３８のいずれか１つの絞り部が設けられている。
【００１５】
第２のレンズアレイ４から出射された照明光は、図１に示すように、ＰＳコンバイナ６及び重ね合わせレンズ７を経て、クロスダイクロイックミラー８に入射される。
【００１６】
ＰＳコンバイナ６は、複数の偏光ビームスプリッタが並列に配列されて平板状に構成された光学素子であり、入射光の偏光方向を一定の方向に揃えて出射させる。重ね合わせレンズ７は、第１のレンズアレイ３の各レンズセルの像の中心を液晶ライトバルブ１２，１８，２１の中心に一致させ、第１のレンズアレイ３の各レンズセルの像が液晶ライトバルブ１２，１８，２１の表示面上で重なり合うようにする。
【００１７】
クロスダイクロイックミラー８は、入射された照明光の三原色をＲ（赤色）成分とＧ（緑色）成分及びＢ（青色）成分とに分離させる。クロスダイクロイックミラー８を経たＲ成分光は、ミラー９及びリレーレンズ１０を経て、偏光分離素子となる偏光ビームスプリッタ１１を透過して、赤色用液晶ライトバルブ１２に入射される。赤色用液晶ライトバルブ１２は、入射されたＲ成分光を表示画像の赤色成分に応じて偏光変調して反射する。偏光変調された反射光は、偏光ビームスプリッタ１１において反射され、色合成プリズム１３に対し、一側面部より入射される。
【００１８】
一方、クロスダイクロイックミラー８を経たＧ成分光及びＢ成分光は、ミラー１４を経て、ダイクロイックミラー１５に入射される。ダイクロイックミラー１５は、入射されたＧ成分光及びＢ成分光を、Ｇ成分光とＢ成分光とに分離させる。ダイクロイックミラー１５において反射されたＧ成分光は、リレーレンズ１６を経て、偏光分離素子となる偏光ビームスプリッタ１７を透過して、緑色用液晶ライトバルブ１８に入射される。緑色用液晶ライトバルブ１８は、入射されたＧ成分光を表示画像の緑色成分に応じて偏光変調して反射する。偏光変調された反射光は、偏光ビームスプリッタ１７において反射され、色合成プリズム１３に対し、後面部より入射される。
【００１９】
そして、ダイクロイックミラー１５を透過したＢ成分光は、リレーレンズ１９を経て、偏光分離素子となる偏光ビームスプリッタ２０を透過して、青色用液晶ライトバルブ２１に入射される。青色用液晶ライトバルブ２１は、入射されたＢ成分光を表示画像の青色成分に応じて偏光変調して反射する。偏光変調された反射光は、偏光ビームスプリッタ２０において反射され、色合成プリズム１３に対し、他側面部より入射される。
【００２０】
色合成プリズム１３は、一側面部より入射されたＲ成分光、後面部より入射されたＧ成分光及び他側面部より入射されたＢ成分光を合成して、前面部より出射させる。色合成プリズム１３から出射された照明光は、投射光学系となる投射レンズ２２に入射される。この投射レンズ２２は、入射された照明光を、図示しないスクリーンに向けて投射し、結像させ、画像表示を行う。
【００２１】
（絞り部３１の構成）
図２は、絞り部３１の構成、ならびに絞り部３１と第２のレンズアレイ４との位置関係を示す正面図である。
【００２２】
絞り部３１は、図２に示すように、第１及び第２のレンズアレイ３，４間における光束の一部を遮光して阻止する４枚の矩形状の阻止板３１ａ，３１ｂ，３１ｃ，３１ｄを備えている。それぞれの阻止板３１ａ，３１ｂ，３１ｃ，３１ｄは、第２のレンズアレイ４の対角線方向の４隅部を通過する光の三原色光の内、いずれか１つの単色光、例えば青色光を阻止する。それぞれの阻止板３１ａ，３１ｂ，３１ｃ，３１ｄは、青色光を阻止することにより青色光のＦ値（絞り値）を他の赤色光ならびに緑色光のＦ値よりも大きくする。
【００２３】
それぞれの阻止板３１ａ，３１ｂ，３１ｃ，３１ｄは、特定の波長の光を反射し、他の波長の光を透過するダイクロイックミラーで構成することができる。このダイクロイックミラーは、図３に示すような波長と透過率との特性を有している。したがって、それぞれの阻止板３１ａ，３１ｂ，３１ｃ，３１ｄは、図３に示すように５００ｎｍ以下の波長の光を反射して透過しないので、照明光の三原色光の内青色光だけを阻止し、他の赤色光ならびに緑色光を透過することができる。
【００２４】
なお、阻止する単色光は、青色光に限定されることはなく、赤色光もしくは緑色光であってもかまわない。
【００２５】
図２に戻って、これら阻止板３１ａ，３１ｂ，３１ｃ，３１ｄ以外の領域が、この絞り部３１における開口部となり、この開口部を通った照明光が第２のレンズアレイ４に入射する。それぞれの阻止板３１ａ，３１ｂ，３１ｃ，３１ｄは、固定して配置され、もしくは図２の矢印で示すように第２のレンズアレイ４の対角線方向に可動可能に配置される。
【００２６】
それぞれの阻止板３１ａ，３１ｂ，３１ｃ，３１ｄが固定配置されている場合には、開口部の開口面積は固定され、青色光のＦ値は開口面積に応じた固定値に設定される。一方、それぞれの阻止板３１ａ，３１ｂ，３１ｃ，３１ｄが可動可能に配置されている場合には、開口部の開口面積は可変制御され、青色光のＦ値は開口面積に応じて可変制御され任意に調整することが可能となる。これにより、第２のレンズアレイ４に入射する青色光の光量を、可変制御することができる。
【００２７】
それぞれの阻止板３１ａ，３１ｂ，３１ｃ，３１ｄを可動可能にする機構としては、様々な手段が考えられるが、例えば特許第５１４０９１４号公報に記載されている技術を採用することができる。
【００２８】
一般的に、第２のレンズアレイ４に入射する光の内、第２のレンズアレイ４の中心から遠ざかる光ほど表示画像のコントラストを悪化させる。特に青色光は、他の赤色光や緑色光に比べて表示画像のコントラストを悪化させる。したがって、それぞれの阻止板３１ａ，３１ｂ，３１ｃ，３１ｄによって第２のレンズアレイ４の対角線方向の４隅部を通過する色光の内、青色光を阻止することで、表示画像のコントラストを悪化させる光の成分を低減することができる。これにより、表示画像のコントラストを向上させることが可能となる。
【００２９】
また、青色光の単色光だけを阻止するので、三原色光の全色光を阻止する場合に比べて第２のレンズアレイ４に入射する光の光量の低下を抑えることが可能となる。これにより、表示画像の明るさの低下を抑制することができる。この結果、表示画像の明るさの低下を抑制しつつ、表示画像のコントラストを向上させることができる。
【００３０】
（絞り部３２の構成）
図４は、絞り部３２の構成、ならびに絞り部３２と第２のレンズアレイ４との位置関係を示す正面図である。
【００３１】
絞り部３２は、図４に示すように、２枚の阻止板３２ａ，３２ｂを備え、先の絞り部３１と同様の機能を備える。それぞれの阻止板３２ａ，３２ｂは、第２のレンズアレイ４側にくの字状の切り込みが設けられいる。それぞれの阻止板３２ａ，３２ｂは、先の絞り部３１と同様に第２のレンズアレイ４の対角線方向の４隅部を通過する光の三原色光の内、いずれか１つの単色光、例えば青色光を阻止する。それぞれの阻止板３２ａ，３２ｂは、青色光を阻止することにより青色光のＦ値を他の赤色光ならびに緑色光のＦ値よりも大きくする。
【００３２】
それぞれの阻止板３２ａ，３２ｂは、先の図３に示す特性を有するダイクロイックミラーで構成することができる。
【００３３】
なお、阻止する単色光は、青色光に限定されることはなく、赤色光もしくは緑色光であってもかまわない。
【００３４】
これら阻止板３２ａ，３２ｂ以外の領域が、この絞り部３２における開口部となり、この開口部を通った照明光が第２のレンズアレイ４に入射する。それぞれの阻止板３２ａ，３２ｂは、固定して配置され、もしくは図４の矢印で示すように第２のレンズアレイ４の対向する２辺、図４では左右の方向に可動可能に配置されている。
【００３５】
それぞれの阻止板３２ａ，３２ｂが固定配置されている場合には、開口部の開口面積は固定され、青色光のＦ値は開口面積に応じた固定値に設定される。一方、それぞれの阻止板３２ａ，３２ｂが可動可能に配置されている場合には、開口部の開口面積は可変制御され、青色光のＦ値は開口面積に応じて可変制御され任意に調整することが可能となる。これにより、第２のレンズアレイ４に入射する青色光の光量を、可変制御することができる。
【００３６】
それぞれの阻止板３２ａ，３２ｂを可動可能にする機構としては、様々な手段が考えられるが、例えば特開２０１２−４２６１４号公報に記載されている技術を採用することができる。
【００３７】
このような絞り部３２を採用することで、先の絞り部３１を採用したときと同様の効果を得ることができる。
【００３８】
（絞り部３３の構成）
図５は、絞り部３３の構成、ならびに絞り部３３と第２のレンズアレイ４との位置関係を示す正面図である。
【００３９】
絞り部３３は、図５に示すように、第１及び第２のレンズアレイ３，４間における光束の一部を遮光して阻止する４枚の阻止板３３ａ，３３ｂ，３３ｃ，３３ｄを備え、先の絞り部３１と同様の機能を備える。それぞれの阻止板３３ａ，３３ｂ，３３ｃ，３３ｄは、第２のレンズアレイ４側の隅部が円弧状に切り込まれて形成されている。それぞれの阻止板３３ａ，３３ｂ，３３ｃ，３３ｄは、先の絞り部３１と同様に第２のレンズアレイ４の対角線方向の４隅部を通過する光の三原色光の内、いずれか１つの単色光、例えば青色光を阻止する。それぞれの阻止板３３ａ，３３ｂ，３３ｃ，３３ｄは、青色光を阻止することにより青色光のＦ値を他の赤色光ならびに緑色光のＦ値よりも大きくする。
【００４０】
それぞれの阻止板３３ａ，３３ｂ，３３ｃ，３３ｄは、先の図３に示す特性を有するダイクロイックミラーで構成することができる。
【００４１】
なお、阻止する単色光は、青色光に限定されることはなく、赤色光もしくは緑色光であってもかまわない。
【００４２】
これら阻止板３３ａ，３３ｂ，３３ｃ，３３ｄ以外の領域が、この絞り部３３における開口部となり、この開口部を通った照明光が第２のレンズアレイ４に入射する。それぞれの阻止板３３ａ，３３ｂ，３３ｃ，３３ｄは、固定して配置され、もしくは図５の矢印で示すように第２のレンズアレイ４の対角線方向に可動可能に配置される。
【００４３】
それぞれの阻止板３３ａ，３３ｂ，３３ｃ，３３ｄが固定配置されている場合には、開口部の開口面積は固定され、青色光のＦ値は開口面積に応じた固定値に設定される。一方、それぞれの阻止板３３ａ，３３ｂ，３３ｃ，３３ｄが可動可能に配置されている場合には、開口部の開口面積は可変制御され、青色光のＦ値は開口面積に応じて可変制御され任意に調整することが可能となる。これにより、第２のレンズアレイ４に入射する青色光の光量を、可変制御することができる。
【００４４】
それぞれの阻止板３３ａ，３３ｂ，３３ｃ，３３ｄが可動可能に配置されている場合に、阻止板３３ａ，３３ｂ，３３ｃ，３３ｄが第２のレンズアレイ４の中心に向かって移動すると、阻止板３３ａ，３３ｂ，３３ｃ，３３ｄが連結される。この場合に、阻止板３３ａ，３３ｂ，３３ｃ，３３ｄの隅部の円弧状の切り込みがつながり、円弧状の切り込みの縁は第２のレンズアレイ４の矩形内に内接円を形成する。これにより、絞り部３３の開口部は円形となり、第２のレンズアレイ４の対角線方向の４隅部における表示画像のコントラストを悪化させる光の成分を最も効率よく低減することができる。
【００４５】
それぞれの阻止板３３ａ，３３ｂ，３３ｃ，３３ｄを可動可能にする機構としては、様々な手段が考えられるが、例えば特許第５１４０９１４号公報に記載されている技術を採用することができる。
【００４６】
したがって、このような絞り部３３を採用することで、先の絞り部３１を採用したときと同様の効果を得ることができる。
【００４７】
（絞り部３４の構成）
図６は、絞り部３４の構成、ならびに絞り部３４と第２のレンズアレイ４との位置関係を示す正面図である。
【００４８】
絞り部３４、図６に示すように、第１及び第２のレンズアレイ３，４間における光束の一部を遮光して阻止する４枚の矩形状の阻止板３４ａ，３４ｂ，３４ｃ，３４ｄを備え、先の絞り部３１と同様の機能を備える。阻止板３４ａは、青色光阻止領域３４１ａと全色光阻止領域３４２ａとを備える。阻止板３４ｂは、青色光阻止領域３４１ｂと全色光阻止領域３４２ｂとを備える。阻止板３４ｃは、青色光阻止領域３４１ｃと全色光阻止領域３４２ｃとを備える。阻止板３４ｄは、青色光阻止領域３４１ｄと全色光阻止領域３４２ｄとを備える。
【００４９】
青色光阻止領域３４１ａ，３４１ｂ，３４１ｃ，３４１ｄは、第２のレンズアレイ４の対角線方向の４隅部を通過する光の三原色光の内、青色光だけを阻止する。青色光阻止領域３４１ａ，３４１ｂ，３４１ｃ，３４１ｄは、先の図３に示す特性のダイクロイックミラーで構成することができる。全色光阻止領域３４２ａ，３４２ｂ，３４２ｃ，３４２ｄは、第２のレンズアレイ４の対角線方向の４隅部を通過する光の三原色光の全色を阻止する。
【００５０】
なお、阻止する単色光は、青色光に限定されることはなく、赤色光もしくは緑色光であってもかまわない。その場合に、青色光阻止領域３４１ａ，３４１ｂ，３４１ｃ，３４１ｄに代えて赤色光を阻止する赤色阻止領域、もしくは緑色光を阻止する緑色光阻止領域を設ける。
【００５１】
青色光阻止領域３４１ａ，３４１ｂ，３４１ｃ，３４１ｄは、それぞれの阻止板３４ａ，３４ｂ，３４ｃ，３４ｄの第２のレンズアレイ４側の２辺に沿ってＬ字状に形成されている。全色光阻止領域３４２ａは、青色光阻止領域３４１ａが形成された領域以外の阻止板３４ａの領域となる。全色光阻止領域３４２ｂは、青色光阻止領域３４１ｂが形成された領域以外の阻止板３４ｂの領域となる。全色光阻止領域３４２ｃは、青色光阻止領域３４１ｃが形成された領域以外の阻止板３４ｃの領域となる。全色光阻止領域３４２ｄは、青色光阻止領域３４１ｄが形成された領域以外の阻止板３４ｄの領域となる。
【００５２】
すなわち、青色光阻止領域３４１ａ，３４１ｂ，３４１ｃ，３４１ｄと全色光阻止領域３４２ａ，３４２ｂ，３４２ｃ，３４２ｄとは、第２のレンズアレイ４の対角線方向の４隅部を通過する光の三原色光の内、青色光の光量が赤色光ならびに緑色光の光量に比べて少なくなるように形成されている。これにより、それぞれの阻止板３４ａ，３４ｂ，３４ｃ，３４ｄは、第２のレンズアレイ４の対角線方向の４隅部を通過する光の三原色光の内、青色光のＦ値を他の赤色光ならびに緑色光のＦ値よりも大きくする。
【００５３】
これら阻止板３４ａ，３４ｂ，３４ｃ，３４ｄ以外の領域が、この絞り部３４における開口部となり、この開口部を通った照明光が第２のレンズアレイ４に入射する。それぞれの阻止板３４ａ，３４ｂ，３４ｃ，３４ｄは、固定して配置され、もしくは図６の矢印で示すように第２のレンズアレイ４の対角線方向に可動可能に配置される。
【００５４】
それぞれの阻止板３４ａ，３４ｂ，３４ｃ，３４ｄが固定配置されている場合には、開口部の開口面積は固定され、青色光のＦ値は開口面積に応じた固定値に設定される。一方、それぞれの阻止板３４ａ，３４ｂ，３４ｃ，３４ｄが可動可能に配置されている場合には、開口部の開口面積は可変制御され、青色光のＦ値は開口面積に応じて可変制御され任意に調整することが可能となる。これにより、第２のレンズアレイ４に入射する青色光の光量を、可変制御することができる。
【００５５】
それぞれの阻止板３４ａ，３４ｂ，３４ｃ，３４ｄを可動可能にする機構としては、様々な手段が考えられるが、例えば特許第５１４０９１４号公報に記載されている技術を採用することができる。
【００５６】
したがって、このような絞り部３４を採用することで、先の絞り部３１を採用したときと同様の効果を得ることができる。
【００５７】
（絞り部３５の構成）
図７は、絞り部３５の構成、ならびに絞り部３５と第２のレンズアレイ４との位置関係を示す正面図である。
【００５８】
絞り部３５は、図７に示すように、第１及び第２のレンズアレイ３，４間における光束の一部を遮光して阻止する２枚の阻止板３５ａ，３５ｂを備え、先の絞り部３１と同様の機能を備える。阻止板３５ａは、先の絞り部３２と同様に第２のレンズアレイ４側にくの字状の切り込みが設けられ、青色光阻止領域３５１ａと全色光阻止領域３５２ａとを備える。阻止板３５ｂは、先の絞り部３２と同様に第２のレンズアレイ４側にくの字状の切り込みが設けられ、青色光阻止領域３５１ｂと全色光阻止領域３５２ｂとを備える。
【００５９】
青色光阻止領域３５１ａ，３５１ｂは、第２のレンズアレイ４の対角線方向の４隅部を通過する光の三原色光の内、青色光だけを阻止する。青色光阻止領域３５１ａ，３５１ｂは、先の図３に示す特性のダイクロイックミラーで構成することができる。全色光阻止領域３５２ａ，３５２ｂは、第２のレンズアレイ４の対角線方向の４隅部を通過する光の三原色光の全色光を阻止する。
【００６０】
なお、阻止する単色光は、青色光に限定されることはなく、赤色光もしくは緑色光であってもかまわない。その場合に、青色光阻止領域３５１ａ，３５１ｂに代えて赤色光を阻止する赤色阻止領域、もしくは緑色光を阻止する緑色光阻止領域を設ける。
【００６１】
青色光阻止領域３５１ａ，３５１ｂは、それぞれの阻止板３５ａ，３５ｂの第２のレンズアレイ４側にくの字状に形成されている。全色光阻止領域３５２ａは、青色光阻止領域３５１ａが形成された領域以外の阻止板３５ａの領域となる。全色光阻止領域３５２ｂは、青色光阻止領域３５１ｂが形成された領域以外の阻止板３５ｂの領域となる。
【００６２】
すなわち、青色光阻止領域３５１ａ，３５１ｂと全色光阻止領域３５２ａ，３５２ｂとは、第２のレンズアレイ４の対角線方向の４隅部を通過する光の三原色光の内、青色光の光量が赤色光ならびに緑色光の光量に比べて少なくなるように形成されている。これにより、それぞれの阻止板３５ａ，３５ｂは、第２のレンズアレイ４の対角線方向の４隅部を通過する光の三原色光の内、青色光のＦ値を他の赤色光ならびに緑色光のＦ値よりも大きくする。
【００６３】
これら阻止板３５ａ，３５ｂ以外の領域が、この絞り部３５における開口部となり、この開口部を通った照明光が第２のレンズアレイ４に入射する。それぞれの阻止板３５ａ，３５ｂは、固定して配置され、もしくは図７の矢印で示すように第２のレンズアレイ４の対向する２辺、図７では左右の方向に可動可能に配置されている。
【００６４】
それぞれの阻止板３５ａ，３５ｂが固定配置されている場合には、開口部の開口面積は固定され、青色光のＦ値は開口面積に応じた固定値に設定される。一方、それぞれの阻止板３５ａ，３５ｂが可動可能に配置されている場合には、開口部の開口面積は可変制御され、青色光のＦ値は開口面積に応じて可変制御され任意に調整することが可能となる。これにより、第２のレンズアレイ４に入射する青色光の光量を、可変制御することができる。
【００６５】
それぞれの阻止板３５ａ，３５ｂを可動可能にする機構としては、様々な手段が考えられるが、例えば特開２０１２−４２６１４号公報に記載されている技術を採用することができる。
【００６６】
このような絞り部３５を採用することで、先の絞り部３１を採用したときと同様の効果を得ることができる。
【００６７】
（絞り部３６の構成）
図８は、絞り部３６の構成、ならびに絞り部３６と第２のレンズアレイ４との位置関係を示す正面図である。
【００６８】
絞り部３６は、図８に示すように、第１及び第２のレンズアレイ３，４間における光束の一部を遮光して阻止する４枚の阻止板３６ａ，３６ｂ，３６ｃ，３６ｄを備え、先の絞り部３１と同様の機能を備える。それぞれの阻止板３６ａ，３６ｂ，３６ｃ，３６ｄは、先の図５に示す阻止板３３ａ〜３３ｄと同様に第２のレンズアレイ４側の隅部が円弧状に切り込まれて形成されている。
【００６９】
阻止板３６ａは、青色光阻止領域３６１ａと全色光阻止領域３６２ａとを備える。阻止板３６ｂは、青色光阻止領域３６１ｂと全色光阻止領域３６２ｂとを備える。阻止板３６ｃは、青色光阻止領域３６１ｃと全色光阻止領域３６２ｃとを備える。阻止板３６ｄは、青色光阻止領域３６１ｄと全色光阻止領域３６２ｄとを備える。
【００７０】
青色光阻止領域３６１ａ，３６１ｂ，３６１ｃ，３６１ｄは、第２のレンズアレイ４の対角線方向の４隅部を通過する光の三原色光の内、青色光だけを阻止する。青色光阻止領域３６１ａ，３６１ｂ，３６１ｃ，３６１ｄは、先の図３に示す特性のダイクロイックミラーで構成することができる。全色光阻止領域３６２ａ，３６２ｂ，３６２ｃ，３６２ｄは、第２のレンズアレイ４の対角線方向の４隅部を通過する光の三原色光の全色光を阻止する。
【００７１】
なお、阻止する単色光は、青色光に限定されることはなく、赤色光もしくは緑色光であってもかまわない。その場合に、青色光阻止領域３６１ａ，３６１ｂ，３６１ｃ，３６１ｄに代えて赤色光を阻止する赤色阻止領域、もしくは緑色光を阻止する緑色光阻止領域を設ける。
【００７２】
青色光阻止領域３６１ａ，３６１ｂ，３６１ｃ，３６１ｄは、それぞれの阻止板３６ａ，３６ｂ，３６ｃ，３６ｄの第２のレンズアレイ４側の隅部に円弧状に形成されている。全色光阻止領域３６２ａは、青色光阻止領域３６１ａが形成された領域以外の阻止板３６ａの領域となる。全色光阻止領域３６２ｂは、青色光阻止領域３６１ｂが形成された領域以外の阻止板３６ｂの領域となる。全色光阻止領域３６２ｃは、青色光阻止領域３６１ｃが形成された領域以外の阻止板３６ｃの領域となる。全色光阻止領域３６２ｄは、青色光阻止領域３６１ｄが形成された領域以外の阻止板３６ｄの領域となる。
【００７３】
すなわち、青色光阻止領域３６１ａ，３６１ｂ，３６１ｃ，３６１ｄと全色光阻止領域３６２ａ，３６２ｂ，３６２ｃ，３６２ｄとは、第２のレンズアレイ４の対角線方向の４隅部を通過する光の三原色光の内、青色光の光量が赤色光ならびに緑色光の光量に比べて少なくなるように形成されている。これにより、それぞれの阻止板３６ａ，３６ｂ，３６ｃ，３６ｄは、第２のレンズアレイ４の対角線方向の４隅部を通過する光の三原色光の内、青色光のＦ値を他の赤色光ならびに緑色光のＦ値よりも大きくする。
【００７４】
これら阻止板３６ａ，３６ｂ，３６ｃ，３６ｄ以外の領域が、この絞り部３６における開口部となり、この開口部を通った照明光が第２のレンズアレイ４に入射する。それぞれの阻止板３６ａ，３６ｂ，３６ｃ，３６ｄは、固定して配置され、もしくは図８の矢印で示すように第２のレンズアレイ４の対角線方向に可動可能に配置される。
【００７５】
それぞれの阻止板３６ａ，３６ｂ，３６ｃ，３６ｄが固定配置されている場合には、開口部の開口面積は固定され、青色光のＦ値は開口面積に応じた固定値に設定される。
【００７６】
それぞれの阻止板３６ａ，３６ｂ，３６ｃ，３６ｄが可動可能に配置されている場合には、開口部の開口面積は可変制御され、青色光のＦ値は開口面積に応じて可変制御され任意に調整することが可能となる。これにより、第２のレンズアレイ４に入射する青色光の光量を、可変制御することができる。
【００７７】
阻止板３６ａ，３６ｂ，３６ｃ，３６ｄが可動可能に配置されている場合に、阻止板３３ａ，３３ｂ，３３ｃ，３３ｄが第２のレンズアレイ４の中心に向かって移動すると、阻止板３３ａ，３３ｂ，３３ｃ，３３ｄが連結される。この場合には、青色光阻止領域３６１ａ，３６１ｂ，３６１ｃ，３６１ｄが連結され、青色光阻止領域３６１ａ，３６１ｂ，３６１ｃ，３６１ｄの円弧状の縁は、第２のレンズアレイ４の矩形内に内接円を形成する。これにより、絞り部３６の開口部は円形となり、第２のレンズアレイ４の対角線方向の４隅部における表示画像のコントラストを悪化させる光の成分を最も効率よく低減することができる。
【００７８】
それぞれの阻止板３６ａ，３６ｂ，３６ｃ，３６ｄを可動可能にする機構としては、様々な手段が考えられるが、例えば特許第５１４０９１４号公報に記載されている技術を採用することができる。
【００７９】
したがって、このような絞り部３６を採用することで、先の絞り部３１を採用したときと同様の効果を得ることができる。
【００８０】
（絞り部３７の構成）
図９は、絞り部３７の構成、ならびに絞り部３７と第２のレンズアレイ４との位置関係を示す正面図である。
【００８１】
絞り部３７は、図９（ｂ），（ｃ）に示すように、第１及び第２のレンズアレイ３，４間における光束の一部を遮光して阻止する８枚の矩形状の阻止板３７１ａ，３７２ａ，３７１ｂ，３７２ｂ，３７１ｃ，３７２ｃ，３７１ｄ，３７２ｄを備える。絞り部３７は、先の絞り部３４と同様の機能を備える。
【００８２】
８枚の阻止板３７１ａ，３７２ａ，３７１ｂ，３７２ｂ，３７１ｃ，３７２ｃ，３７１ｄ，３７２ｄは、すべて同一のサイズで構成される。阻止板３７１ａと阻止板３７２ａとは対となり、この一対の阻止板３７１ａ，３７２ａで先の絞り部３４の１枚の阻止板３４ａと同様の機能を有する。阻止板３７１ｂと阻止板３７２ｂとは対となり、この一対の阻止板３７１ｂ，３７２ｂで先の絞り部３４の１枚の阻止板３４ｂと同様の機能を有する。
【００８３】
阻止板３７１ｃと阻止板３７２ｃとは対となり、この一対の阻止板３７１ｃ，３７２ｃで先の絞り部３４の１枚の阻止板３４ｃと同様の機能を有する。阻止板３７１ｄと阻止板３７２ｄとは対となり、この一対の阻止板３７１ｄ，３７２ｄで先の絞り部３４の１枚の阻止板３４ｄと同様の機能を有する。
【００８４】
阻止板３７１ａ，３７１ｂ，３７１ｃ，３７１ｄは、第２のレンズアレイ４の対角線方向の４隅部を通過する光の三原色光の内、青色光だけを阻止する。阻止板３７１ａ，３７１ｂ，３７１ｃ，３７１ｄは、先の図３に示す特性のダイクロイックミラーで構成することができる。なお、阻止する単色光は、青色光に限定されることはなく、赤色光もしくは緑色光であってもかまわない。
【００８５】
阻止板３７２ａ，３７２ｂ，３７２ｃ，３７２ｄは、第２のレンズアレイ４の対角線方向の４隅部を通過する光の三原色光の全色を阻止する。
【００８６】
それぞれの阻止板３７１ａ，３７１ｂ，３７１ｃ，３７１ｄは、連動して図９の矢印で示すように第２のレンズアレイ４の対角線方向に可動可能に配置される。それぞれの阻止板３７２ａ，３７２ｂ，３７２ｃ，３７２ｄは、連動して図９の矢印で示すように第２のレンズアレイ４の対角線方向に可動可能に配置される。それぞれの阻止板３７１ａ，３７１ｂ，３７１ｃ，３７１ｄと、それぞれの阻止板３７２ａ，３７２ｂ，３７２ｃ，３７２ｄとは、それぞれ個別に独立して可動制御される。
【００８７】
なお、それぞれの阻止板３７１ａ，３７１ｂ，３７１ｃ，３７１ｄは、それぞれ個別に独立して可動させるようにしてもよい。また、それぞれの阻止板３７２ａ，３７２ｂ，３７２ｃ，３７２ｄは、それぞれ個別に独立して可動させるようにしてもよい。
【００８８】
阻止板３７１ａ，３７１ｂ，３７１ｃ，３７１ｄと、阻止板３７２ａ，３７２ｂ，３７２ｃ，３７２ｄとは、第２のレンズアレイ４の対角線方向の４隅部を通過する光の三原色光の内、青色光の光量が赤色光ならびに緑色光の光量に比べて少なくなるように可動される。これにより、阻止板３７１ａ，３７１ｂ，３７１ｃ，３７１ｄ、ならびに阻止板３７２ａ，３７２ｂ，３７２ｃ，３７２ｄは、第２のレンズアレイ４の対角線方向の４隅部を通過する光の三原色光の内、青色光のＦ値を他の赤色光ならびに緑色光のＦ値よりも大きくする。
【００８９】
阻止板３７１ａ，３７１ｂ，３７１ｃ，３７１ｄならびに阻止板３７２ａ，３７２ｂ，３７２ｃ，３７２ｄ以外の領域が、この絞り部３７における開口部となり、この開口部を通った照明光が第２のレンズアレイ４に入射する。開口部の開口面積は、阻止板３７１ａ，３７１ｂ，３７１ｃ，３７１ｄならびに阻止板３７２ａ，３７２ｂ，３７２ｃ，３７２ｄを可動制御することで可変制御される。青色光のＦ値は、開口面積ならびに対となる阻止板の重畳の割合に応じて可変制御され任意に調整することが可能となる。これにより、第２のレンズアレイ４に入射する青色光の光量を、可変制御することができる。
【００９０】
図９（ａ）は、対となる阻止板３７１ａと阻止板３７２ａとのすべてが重畳したときの一配置例を示す図である。図９（ａ）において、対となる阻止板３７１ｂと阻止板３７２ｂ、阻止板３７１ｃと阻止板３７２ｃ、阻止板３７１ｄと阻止板３７２ｄにおいても、対となる阻止板３７１ａと阻止板３７２ａと同様の配置を示している。
【００９１】
図９（ｂ）は、阻止板３７１ａが阻止する青色光の光量が阻止板３７２ａが阻止する全色光の光量よりも多少多くなるように重畳したときの一配置例を示す図である。図９（ｂ）において、対となる阻止板３７１ｂと阻止板３７２ｂ、阻止板３７１ｃと阻止板３７２ｃ、阻止板３７１ｄと阻止板３７２ｄにおいても、対となる阻止板３７１ａと阻止板３７２ａと同様の配置を示している。
【００９２】
図９（ｃ）は、阻止板３７１ａが阻止する青色光の光量が阻止板３７２ａが阻止する全色光の光量よりも同図（ｂ）に比べて多くなるように重畳したときの一配置例を示す図である。図９（ｃ）において、対となる阻止板３７１ｂと阻止板３７２ｂ、阻止板３７１ｃと阻止板３７２ｃ、阻止板３７１ｄと阻止板３７２ｄにおいても、対となる阻止板３７１ａと阻止板３７２ａと同様の配置を示している。
【００９３】
阻止板３７１ａ，３７１ｂ，３７１ｃ，３７１ｄならびに阻止板３７２ａ，３７２ｂ，３７２ｃ，３７２ｄを可動可能にする機構としては、様々な手段が考えられるが、例えば特許第５１４０９１４号公報に記載されている技術を採用することができる。
【００９４】
したがって、このような絞り部３７を採用することで、先の絞り部３１を採用したときと同様の効果を得ることができる。さらに、青色光の単色光のみを阻止する阻止板３７１ａ，３７１ｂ，３７１ｃ，３７１ｄと全色光を阻止する阻止板３７２ａ，３７２ｂ，３７２ｃ，３７２ｄとを個別に設け、それぞれを個別に独立して可動制御するようにしている。これにより、絞り部３７は、先の図６に示す絞り部３４に比べて他の色光に対して青色光を阻止する割合、すなわち青色光のＦ値を微細に調整することが可能となる。
【００９５】
なお、絞り部３７は、全色光を阻止する阻止板３７２ａ，３７２ｂ，３７２ｃ，３７２ｄを設けたが、これらの阻止板３７２ａ，３７２ｂ，３７２ｃ，３７２ｄに代えて赤色光のみを阻止する阻止板と緑色光のみを阻止する阻止板とを個別に設けるようにしてもよい。その場合には、青色光、赤色光、緑色光を個別に阻止するそれぞれの阻止板はそれぞれ独立して可動制御される。これにより、青色光、赤色光ならびに緑色光のＦ値をそれぞれ個別に独立して微細に調整することが可能となる。
【００９６】
（絞り部３８の構成）
図１０は、絞り部３８の構成、ならびに絞り部３８と第２のレンズアレイ４との位置関係を示す正面図である。
【００９７】
絞り部３８は、図１０（ｂ），（ｃ）に示すように、第１及び第２のレンズアレイ３，４間における光束の一部を遮光して阻止する４枚の阻止板３８１ａ，３８２ａ，３８１ｂ，３８２ｂを備える。絞り部３８は、先の絞り部３５と同様の機能を備える。
【００９８】
４枚の阻止板３８１ａ，３８２ａ，３８１ｂ，３８２ｂは、すべて同一のサイズで構成される。阻止板３８１ａと阻止板３８２ａとは対となり、この一対の阻止板３８１ａ，３８２ａで先の絞り部３５の１枚の阻止板３５ａと同様の機能を有する。阻止板３８１ｂと阻止板３８２ｂとは対となり、この一対の阻止板３８１ｂ，３８２ｂで先の絞り部３５の１枚の阻止板３４ｂと同様の機能を有する。
【００９９】
阻止板３８１ａと阻止板３８１ｂとは、第２のレンズアレイ４側にくの字状の切り込みが設けられ、先の絞り部３５と同様に第２のレンズアレイ４の対角線方向の４隅部を通過する光の三原色光の内、いずれか１つの単色光、例えば青色光を阻止する。阻止板３８１ａ，３８１ｂは、先の図３に示す特性のダイクロイックミラーで構成することができる。
【０１００】
なお、阻止する単色光は、青色光に限定されることはなく、赤色光もしくは緑色光であってもかまわない。
【０１０１】
阻止板３８２ａ，３８２ｂは、第２のレンズアレイ４の対角線方向の４隅部を通過する光の三原色光の全色光を阻止する。
【０１０２】
それぞれの阻止板３８１ａ，３８１ｂは、連動して図１０の矢印で示すように第２のレンズアレイ４の対角線方向に可動可能に配置される。それぞれの阻止板３８２ａ，３８２ｂは、連動して図１０の矢印で示すように第２のレンズアレイ４の対角線方向に可動可能に配置される。それぞれの阻止板３８１ａ，３８１ｂと、それぞれの阻止板３８２ａ，３８２ｂとは、それぞれ個別に独立して可動制御される。
【０１０３】
なお、それぞれの阻止板３８１ａ，３８１ｂは、それぞれ個別に独立して可動させるようにしてもよい。また、それぞれの阻止板３８２ａ，３８２ｂは、それぞれ個別に独立して可動させるようにしてもよい。
【０１０４】
阻止板３８１ａ，３８１ｂと、阻止板３８２ａ，３８２ｂとは、第２のレンズアレイ４の対角線方向の４隅部を通過する光の三原色光の内、青色光の光量が赤色光ならびに緑色光の光量に比べて少なくなるように可動される。これにより、阻止板３８１ａ，３８１ｂ、ならびに阻止板３８２ａ，３８２ｂは、第２のレンズアレイ４の対角線方向の４隅部を通過する光の三原色光の内、青色光のＦ値を他の赤色光ならびに緑色光のＦ値よりも大きくする。
【０１０５】
阻止板３８１ａ，３８１ｂならびに阻止板３８２ａ，３８２ｂ以外の領域が、この絞り部３８における開口部となり、この開口部を通った照明光が第２のレンズアレイ４に入射する。開口部の開口面積は、阻止板３８１ａ，３８１ｂならびに阻止板３８２ａ，３８２ｂを可動制御することで可変制御される。青色光のＦ値は、開口面積ならびに対となる阻止板の重畳の割合に応じて可変制御され任意に調整することが可能となる。これにより、第２のレンズアレイ４に入射する青色光の光量を、可変制御することができる。
【０１０６】
図１０（ａ）は、対となる阻止板３８１ａと阻止板３８２ａとのすべてが重畳したときの一配置例を示す図である。図１０（ａ）において、対となる阻止板３８１ｂと阻止板３８２ｂにおいても、対となる阻止板３８１ａと阻止板３８２ａと同様の配置を示している。
【０１０７】
図１０（ｂ）は、阻止板３８１ａが阻止する青色光の光量が阻止板３８２ａが阻止する全色光の光量よりも多少多くなるように重畳したときの一配置例を示す図である。図１０（ｂ）において、対となる阻止板３８１ｂと阻止板３８２ｂにおいても、対となる阻止板３８１ａと阻止板３８２ａと同様の配置を示している。
【０１０８】
図１０（ｃ）は、阻止板３８１ａが阻止する青色光の光量が阻止板３８２ａが阻止する全色光の光量よりも同図（ｂ）に比べて多くなるように重畳したときの一配置例を示す図である。図１０（ｃ）において、対となる阻止板３８１ｂと阻止板３８２ｂにおいても、対となる阻止板３８１ａと阻止板３８２ａと同様の配置を示している。
【０１０９】
阻止板３８１ａ，３８１ｂならびに阻止板３８２ａ，３８２ｂを可動可能にする機構としては、様々な手段が考えられるが、例えば特開２０１２−４２６１４号公報に記載されている技術を採用することができる。
【０１１０】
したがって、このような絞り部３８を採用することで、先の絞り部３５を採用したときと同様の効果を得ることができる。さらに、青色光の単色光のみを阻止する阻止板３８１ａ，３８１ｂと全色光を阻止する阻止板３８２ａ，３８２ｂとを個別に設け、それぞれを個別に独立して可動制御するようにしている。これにより、絞り部３８は、先の図７に示す絞り部３５に比べて他の色光に対して青色光を阻止する割合、すなわち青色光のＦ値を微細に調整することが可能となる。
【０１１１】
なお、絞り部３８は、全色光を阻止する阻止板３８２ａ，３８２ｂを設けたが、これらの阻止板３８２ａ，３８２ｂに代えて赤色光のみを阻止する阻止板と緑色光のみを阻止する阻止板とを個別に設けるようにしてもよい。その場合には、青色光、赤色光、緑色光を阻止するそれぞれの阻止板はそれぞれ独立して可動制御される。これにより、青色光、赤色光ならびに緑色光のＦ値をそれぞれ個別に独立して微細に調整することが可能となる。
【０１１２】
図１１は図１に示す画像処理装置の画像処理系ならびに絞り駆動系の構成を示す図である。
【０１１３】
図１１において、画像処理装置は、画像処理部４１、表示駆動部４２、表示部４３ならびに絞り駆動部４４を備えている。
【０１１４】
画像処理部４１は、画像解析部４１１、ゲイン補正部４１２ならびにガンマ補正部４１３を備えている。
【０１１５】
画像解析部４１１は、表示部４３に表示する表示画像の画像データを入力し、入力した画像データに基づいて表示画像を解析する。画像解析部４１１は、表示画像の明るさなどの表示画像をゲイン補正、ならびにガンマ補正を行う際に必要となる情報を解析する。画像解析部４１１は、解析結果に基づいて絞り制御信号を絞り駆動部４４に与える。画像解析部４１１は、画像データ、ならびに解析結果に基づくゲイン補正信号をゲイン補正部４１２に与える。画像解析部４１１は、解析結果に基づくガンマ補正信号をガンマ補正部４１３に与える。
【０１１６】
ゲイン補正部４１２は、画像解析部４１１から与えられたゲイン補正信号に基づいて、カラー表示される表示画像の青色、赤色、緑色のそれぞれのゲインを補正する。上述したように、絞り部３１〜３８のいずれかにより青色光のＦ値は他色光よりも大きくなるので、表示画像の色（Ｒ，Ｇ，Ｂ）バランス（ホワイトバランス）が崩れたり、表示画像全体の明るさが暗くなったりする。すなわち、青色光の光量のみが絞り込まれると、表示画像は全体的に絞り込まれる前に比べて黄色みがかった色調に変化する。
【０１１７】
したがって、ゲイン補正部４１２は、表示画像の青色、赤色、緑色のそれぞれのゲインを補正することで、表示画像の色バランスや明るさを調整する。これにより、表示画像の青色光のＦ値が他色光よりも大きく調整された場合でも、表示画像の色バランスを適切な色調に調整することができる。
【０１１８】
ゲイン補正部４１２は、青色光のＦ値と、青色光、赤色光、緑色光のそれぞれのゲインの補正値との関係を示すゲイン補正テーブルを備えている。このゲイン補正テーブルは、実機によるシミュレーションなどにより青色光のＦ値と、青色光、赤色光、緑色光のそれぞれのゲインの補正値との関係を取得することで作成されて用意され、ゲイン補正部４１２に備えられる。
【０１１９】
ゲイン補正部４１２は、上記ゲイン補正テーブルを参照して、ゲイン補正信号に基づいて青色のＦ値に対応した青色光、赤色光、緑色光のそれぞれのゲインの補正値を択一的に選択する。ゲイン補正部４１２は、選択したゲイン補正値にしたがって表示画像の青色光、赤色光、緑色光のそれぞれのゲインを補正する。ゲイン補正部４１２は、ゲインを補正した表示画像の画像データをガンマ補正部４１３に与える。
【０１２０】
ガンマ補正部４１３は、ゲイン補正された表示画像の画像データを入力する。ガンマ補正部４１３は、入力した画像データのガンマ特性（発色特性）を補正する。ガンマ特性は、液晶デバイスが有している特性であるので、表示部４３が液晶デバイス以外で構成されている場合には不要となる。
【０１２１】
一般的に、液晶デバイスは、その液晶デバイス固有のガンマ特性を有している。したがって、ガンマ補正部４１３は、例えば図１２に示すような個々の液晶デバイスに対応したガンマ特性曲線（Ｖ−Ｔ特性曲線）に基づいてガンマ補正を行う。図１２に示すガンマ特性曲線は、横軸の液晶に印加される印加電圧（Ｖ）と縦軸の液晶の光出力（Ｔ）との特性を示している。
【０１２２】
このガンマ特性曲線は、光の波長によって異なる特性を有している。すなわち、ガンマ特性曲線は、青色光、赤色光、緑色光によって異なる特性を有している。
【０１２３】
また、ガンマ特性曲線は、液晶の温度によって変化する温度特性を有している。表示画像の各色光のＦ値が変化すると、光出力も変化するので、各色の液晶の温度が変化する。ガンマ特性曲線は、この液晶の温度変化に応じて変化する。例えば、液晶の青色のＦ値が大きくなり青色の光出力が低下すると、青色の液晶の温度も低下するので、青色光に対応したガンマ特性曲線も変化する。
【０１２４】
ガンマ補正部４１３は、表示画像の各色光のＦ値とガンマ特性曲線との関係を示すガンマ補正テーブルを備えている。このガンマ補正テーブルは、実機によるシミュレーションなどにより各色光のＦ値とガンマ特性曲線との関係を取得することで作成されて用意され、ガンマ補正部４１３に備えられる。
【０１２５】
ガンマ補正部４１３は、上記ガンマ補正テーブルを参照して、ガンマ補正信号に基づいて各色光のＦ値に対応したガンマ特性曲線を択一的に選択する。ガンマ補正部４１３は、選択したガンマ特性曲線にしたがって表示画像の青色光、赤色光、緑色光のそれぞれのガンマ特性を補正する。これにより、表示画像の青色光のＦ値が他色光よりも大きく調整された場合でも、表示画像のガンマ特性を適切に調整することができる。
【０１２６】
表示駆動部４２は、ゲイン補正部４１２でゲインが補正され、ガンマ補正部４１３でガンマ特性が補正された表示画像の画像データを入力する。表示駆動部４２は、ゲインならびにガンマ特性が補正された画像データに基づいて、表示部４３を駆動制御する。
【０１２７】
表示部４３は、表示駆動部４２の制御の下に、ゲインならびにガンマ特性が補正された表示画像を表示する。
【０１２８】
絞り駆動部４４は、画像解析部４１１から絞り制御信号が与えられ、絞り制御信号に基づいて、可動可能に配置されている先の絞り部３１〜３８のいずれか１つの絞り部３１〜３８の絞り駆動量を決定する。絞り駆動部４４は、決定した絞り駆動量にしたがって絞り部３１〜３８のいずれか１つの絞り部３１〜３８を駆動制御する。絞り駆動部４４は、絞り部３８もしくは絞り部３９を駆動制御する際に、例えば図１３もしくは図１４に示す絞り制御信号と絞り駆動量との関係に基づいて絞り駆動量を決定する。
【０１２９】
図１３では、横軸の絞り制御信号と縦軸の絞り駆動量との関係が線形に変化し、同一の絞り制御信号に対して全色光を阻止する阻止板の駆動量に比べて単色光を阻止する阻止板の駆動量を多くしている。図１４では、横軸の絞り制御信号と縦軸の絞り駆動量との関係が非線形に変化し、同一の絞り制御信号に対して全色光を阻止する阻止板の駆動量に比べて単色光を阻止する阻止板の駆動量を多くしている。
【０１３０】
絞り駆動部４４は、図１３もしくは図１４に示す関係を用いて絞り部３８を駆動制御した場合には、青色光のみを阻止する阻止板３７１ａ，３７１ｂ，３７１ｃ，３７１ｄは、全色光を阻止する阻止板３７２ａ，３７２ｂ，３７２ｃ，３７２ｄよりも駆動量が大きくなる。絞り駆動部４４は、図１３もしくは図１４に示す関係を用いて絞り部３９を駆動制御した場合には、青色光のみを阻止する阻止板３８１ａ，３８１ｂは、全色光を阻止する阻止板３８２ａ，３８２ｂよりも駆動量が大きくなる。
【０１３１】
なお、第２のレンズアレイ４の対角線方向の４隅部を通過する光の三原色光の青色光、赤色光、緑色光をそれぞれ個別に独立して阻止する場合には、例えば図１５もしくは図１６に示す絞り制御信号と絞り駆動量との関係に基づいて駆動制御するようにしてもよい。
【０１３２】
図１５では、横軸の絞り制御信号と縦軸の絞り駆動量との関係が線形に変化し、色１を阻止する阻止板＞色２を阻止する阻止板＞色３を阻止する阻止板の順で駆動量を多くしている。図１６では、横軸の絞り制御信号と縦軸の絞り駆動量との関係が非線形に変化し、色１を阻止する阻止板＞色２を阻止する阻止板＞色３を阻止する阻止板の順で駆動量を多くしている。色１、色２、色３は、青色光、赤色光、緑色光のいずれかに対応する。
【０１３３】
以上説明したように、本発明に係る上記第１実施形態では、第２のレンズアレイ４の対角線方向の４隅部を通過する光の三原色光の内、いずれか１つの単色光例えば青色光を阻止している。青色光を阻止することにより、青色光のＦ値を他の色光のＦ値よりも大きくしている。これにより、第２のレンズアレイ４の対角線方向の４隅部を通過する色光の内、表示画像のコントラストを悪化させる光の成分を低減することができる。この結果、表示画像のコントラストを向上させることが可能となる。
【０１３４】
また、青色光の単色光だけを阻止することで、、全色光を阻止する場合に比べて第２のレンズアレイ４に入射する光の光量の低下を抑えられる。これにより、表示画像の明るさの低下を抑制することができる。この結果、表示画像の明るさの低下を抑制しつつ、表示画像のコントラストを向上させることができる。
【０１３５】
上記第１実施形態では、青色光のＦ値を他の色光のＦ値よりも大きくした際に、青色光のＦ値に基づいて表示画像のゲインを補正している。これにより、表示画像の青色光のＦ値が他色光よりも大きく調整された場合でも、表示画像の色バランスを適切な色調に調整することができる。
【０１３６】
上記第１実施形態では、青色光のＦ値を他の色光のＦ値よりも大きくした際に、青色光のＦ値に基づいて表示画像のガンマ特性を補正している。これにより、表示画像の青色光のＦ値が他色光よりも大きく調整された場合でも、表示画像のガンマ特性を適切に調整することができる。
【符号の説明】
【０１３７】
１…光源
３…第１のレンズアレイ
４…第２のレンズアレイ
３１〜３８…絞り部
３１ａ，３１ｂ，３１ｃ，３１ｄ，３２ａ，３２ｂ，３３ａ，３３ｂ，３３ｃ，３３ｄ，３４ａ，３４ｂ，３４ｃ，３４ｄ，３５ａ，３５ｂ，３６ａ，３６ｂ，３６ｃ，３６ｄ，３７１ａ，３７１ｂ，３７１ｃ，３７１ｄ，３７２ａ，３７２ｂ，３７２ｃ，３７２ｄ，３８１ａ，３８２ａ，３８１ｂ，３８２ｂ…阻止板
３４１ａ，３４１ｂ，３４１ｃ，３４１ｄ，３５１ａ，３５１ｂ，３６１ａ，３６１ｂ，３６１ｃ，３６１ｄ…青色光阻止領域
３４２ａ，３４２ｂ，３４２ｃ，３４２ｄ，３５２ａ，３５２ｂ，３６２ａ，３６２ｂ，３６２ｃ，３６２ｄ…全色光阻止領域
４１２…ゲイン補正部
４１３…ガンマ補正部
【図１】
2015001633.tif 000003
【図２】
2015001633.tif 000004
【図３】
2015001633.tif 000005
【図４】
2015001633.tif 000006
【図５】
2015001633.tif 000007
【図６】
2015001633.tif 000008
【図７】
2015001633.tif 000009
【図８】
2015001633.tif 000010
【図９】
2015001633.tif 000011
【図１０】
2015001633.tif 000012
【図１１】
2015001633.tif 000013
【図１２】
2015001633.tif 000014
【図１３】
2015001633.tif 000015
【図１４】
2015001633.tif 000016
【図１５】
2015001633.tif 000017
【図１６】
2015001633.tif 000018
【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
光源と、
前記光源から発せられる照度分布を持った光を照度分布が均一化される光に変換する照度均一化部と、
前記照度均一化部の対角線方向の４隅部を通過する光の三原色光の内、いずれか１つの単色光を阻止し、前記単色光を阻止することにより前記単色光のＦ値を他の色光のＦ値よりも大きくする絞り部と、
前記絞り部を通過した光を結像させて画像を表示する投射光学系と
を有することを特徴とする画像表示装置。
【請求項２】
前記絞り部は、前記照度均一化部の対角線方向の４隅部を通過する光の三原色光の内、いずれか１つの単色光を阻止する阻止板を備え、
前記阻止板は、前記照度均一化部の対角線方向の４隅部に応じた位置に、照度均一化部の対角線方向に可動可能に配置され、阻止する単色光のＦ値を可変制御することを特徴とする請求項１に記載の画像表示装置。
【請求項３】
前記絞り部は、阻止板を備え、
前記阻止板は、前記照度均一化部の対角線方向の４隅部を通過する光の三原色光の内、いずれか１つの単色光を阻止する第１の阻止領域と、
前記照度均一化部の対角線方向の４隅部を通過する光の三原色光の全色光を阻止する第２の阻止領域と、を備えている
ことを特徴とする請求項１に記載の画像表示装置。
【請求項４】
前記絞り部は、前記照度均一化部の対角線方向の４隅部を通過する光の三原色光の内、いずれか１つの単色光を阻止する第１の阻止板と、
前記照度均一化部の対角線方向の４隅部を通過する光の三原色光の全色光を阻止する第２の阻止板と、を備えている
ことを特徴とする請求項１に記載の画像表示装置。
【請求項５】
前記単色光は、前記照度均一化部の対角線方向の４隅部を通過する光の三原色光の内、青色光である
ことを特徴とする請求項１〜４のいずれか１項に記載の画像表示装置。
【請求項６】
表示画像の画像データを解析する画像解析部と、
前記画像解析部の解析結果に基づいて、前記絞り部により、前記照度均一化部の対角線方向の４隅部を通過する光の三原色光の内、いずれか１つの単色光を阻止し、前記単色光を阻止することにより前記単色光のＦ値を他の色光のＦ値よりも大きくした際に、前記単色光のＦ値に基づいて表示画像のゲインを補正し、表示画像の色バランスを調整するゲイン補正部と
を有することを特徴とする請求項１〜５のいずれか１項に記載の画像表示装置。
【請求項７】
表示画像の画像データを解析する画像解析部と、
前記画像解析部の解析結果に基づいて、前記絞り部により、前記照度均一化部の対角線方向の４隅部を通過する光の三原色光の内、いずれか１つの単色光を阻止し、前記単色光を阻止することにより前記単色光のＦ値を他の色光のＦ値よりも大きくした際に、前記単色光のＦ値に基づいて表示画像のガンマ特性を補正するガンマ補正部と
を有することを特徴とする請求項１〜５のいずれか１項に記載の画像表示装置。